(57)【特許請求の範囲】
【請求項１】
躯体に一端が固定される一対の側枠を備え、
一対の側枠の屋外側間または側枠を支持する一対の支柱間に前枠を設け、
前記側枠に沿って側枠の躯体取付け部から側枠の屋外側にかけて移動自在にスライド部材を取付け、
前記スライド部材に巻芯を回転自在に収容し、該巻芯に遮蔽部材を引き出し可能に巻き、
前記スライド部材の室内外方向の位置を変えると共に、前記スライド部材に収容した巻芯から引き出した遮蔽部材の下端の前記支柱側の固定位置を変更可能とすることにより、該遮蔽部材が種々の傾斜角度と引き出し長さで引き出される構成を有する
ことを特徴とする簡易屋根。
【請求項２】
躯体に一端が固定される一対の側枠を備え、
一対の側枠の屋外側間または側枠を支持する一対の支柱間に前枠を設け、
前記側枠に沿って側枠の躯体取付け部から側枠の屋外側にかけて移動自在にスライド部材を取付け、
前記側枠の躯体への取付け枠に、耐水性の遮蔽部材を巻いた巻芯を回転自在に取付け、該遮蔽部材の両側を側枠に沿って引き出し可能としてその一端を前記スライド部材に固定し、
前記スライド部材に前記と別の巻芯を回転自在に収容し、該別の巻芯に前記遮蔽部材と別の遮蔽部材を引き出し可能に巻き、
前記スライド部材の室内外方向の位置を変えると共に、前記スライド部材に収容した巻芯から引き出した遮蔽部材の下端の前記支柱側の固定位置を変更可能とすることにより、該遮蔽部材が種々の傾斜角度と引き出し長さで引き出される構成を有する
ことを特徴とする簡易屋根。
【請求項３】
請求項１または２において、
前記前枠または側枠に雨水の流下口を設け、
前記スライド部材の両端に、該スライド部材上に流下する雨水を集めて前記前枠または側枠の流下口に流す排水部材を設けた
ことを特徴とする簡易屋根。
【請求項４】
請求項２または３において、
前記側枠の躯体への取付け枠に設けた巻芯に巻いた耐水性の遮蔽部材の一端を、前記スライド部材に対して着脱自在に固定した
ことを特徴とする簡易屋根。
【発明の詳細な説明】
【０００１】
【発明の属する技術分野】
本発明は、テラスやバルコニーあるいはベランダ等に設ける簡易屋根に関する。
【０００２】
【従来の技術】
テラスやベランダ等に設ける従来の簡易屋根は、躯体に取付けられた枠材上に屋根材が固定して取付けられたものである。
【０００３】
【発明が解決しようとする課題】
このような従来の簡易屋根は、屋根材が固定して取付けられているため、天候等に応じて状態を変化させることができない。例えば、屋根による日光の遮蔽を避けて開放感を得るような変更を行うことや、日ざしの良い日に日光の照射が欲しい場合に日光の照射を部屋に取り込むこと等ができない。また、外部からの目を避けるために目隠しを行うことや、季節あるいは時間による日光の照射角度に対応して日光を遮蔽する変更を行うことができない。
【０００４】
本発明は、上述のような問題点に鑑み、環境、気候あるいは季節等の変化に応じて日光や人目等に対する遮蔽状態を容易に変更することができる構成の簡易屋根を提供することを目的とする。
【０００５】
【課題を解決するための手段】
請求項１の簡易屋根は、躯体に一端が固定される一対の側枠を備え、
一対の側枠の屋外側間または側枠を支持する一対の支柱間に前枠を設け、
前記側枠に沿って側枠の躯体取付け部から側枠の屋外側にかけて移動自在にスライド部材を取付け、
前記側枠の躯体への取付け枠に、遮蔽部材を巻いた巻芯を回転自在に取付け、該遮蔽部材の両側を側枠に沿って引き出し可能としてその一端を前記スライド部材に固定し、
前記スライド部材に前記と別の巻芯を回転自在に収容し、該別の巻芯に前記遮蔽部材と別の遮蔽部材を下方に引き下ろし可能に巻き、
前記スライド部材の室内外方向の位置を変えると共に、前記スライド部材に収容した巻芯から引き出した遮蔽部材の下端の前記支柱側の固定位置を変更可能とすることにより、該遮蔽部材が種々の傾斜角度と引き出し長さで引き出される構成を有する
ことを特徴とする。
【０００６】
このように、側枠に沿ってスライド部材を前後方向に移動自在として該スライド部材に引き出し可能に遮蔽部材を設ければ、スライド部材の側枠上の位置の選定と、遮蔽部材の支柱への固定位置の選択により、遮蔽部材の引き出し方向（傾斜角度）、引き出し長さを選択でき、もって日除け、目隠し等任意の態様で実現することができる。また、スライド部材を躯体側に引き寄せて遮蔽部材を引き出さない状態としておけば、開放感が得られる。
【０００７】
請求項２の簡易屋根は、躯体に一端が固定される一対の側枠を備え、
一対の側枠の屋外側間または側枠を支持する一対の支柱間に前枠を設け、
前記側枠に沿って側枠の躯体取付け部から側枠の屋外側にかけて移動自在にスライド部材を取付け、
前記側枠の躯体への取付け枠に、耐水性の遮蔽部材を巻いた巻芯を回転自在に取付け、該遮蔽部材の両側を側枠に沿って引き出し可能としてその一端を前記スライド部材に固定し、
前記スライド部材に前記と別の巻芯を回転自在に収容し、該別の巻芯に前記遮蔽部材と別の遮蔽部材を下方に引き下ろし可能に巻き、
前記スライド部材の室内外方向の位置を変えると共に、前記スライド部材に収容した巻芯から引き出した遮蔽部材の下端の前記支柱側の固定位置を変更可能とすることにより、該遮蔽部材が種々の傾斜角度と引き出し長さで引き出される構成を有する
ことを特徴とする。
【０００８】
このように、スライド部材と躯体への取付け枠との間に、耐水性の遮蔽部材を開閉自在に設ければ、スライド部材を前枠側に引き出した状態において、該遮蔽部材により雨を避けることができる。また、このように耐水性の遮蔽部材を引き出した状態であっても、前記スライド部材に収容した遮蔽部材の上げ下げにより、該遮蔽部材を目隠しや日除け等として利用することができる。
【０００９】
請求項３の簡易屋根は、請求項１または２において、  前記前枠または側枠に雨水の流下口を設け、
前記スライド部材の両端に、該スライド部材上に流下する雨水を集めて前記前枠または側枠の流下口に流す排水部材を設けた
ことを特徴とする。
【００１０】
このように、排水部材を設けることにより、遮蔽部材からスライド部材に流れる雨水を硫下口または側枠の溝から流下させることができる。
【０００１１】
請求項４の簡易屋根は、請求項１から３までのいずれかにおいて、
前記側枠の躯体取付け部間に設けた巻芯に巻いた遮蔽部材の一端を、前記スライド部材に対して着脱自在に固定した
ことを特徴とする。
【００１１】
このように、側枠に沿って引き出し可能に設けた上面側の遮蔽部材を、スライド部材に対して着脱自在とすれば、この上面側遮蔽部材をスライド部材から分離することにより、開放感が増大した使用態様が得られる。
【００１２】
【発明の実施の形態】
図１、図２は本発明による簡易屋根の一実施の形態を遮蔽部材の位置を異ならせて示す斜視図、図３はその縦断面図、図４、図５はそれぞれ図３のＥ−Ｅ断面図、Ｆ−Ｆ断面図である。図１ないし図３において、１はベランダまたはバルコニーの床である。２は該床１の前端の左右に設けられた支柱である。３は側枠であり、該側枠３は、躯体４に固定した取付け枠５に一端を固定し、他端を支柱１、１間に架設した前枠７上の左右端部上に取付金具６により固定する。
【００１３】
８は側枠３、３に両端を移動自在に係合させて設けたスライド部材である。該スライド部材８を移動自在とするため、側枠３には図３ないし図５に示すように、側枠３の対向面にはガイド溝９を形成するための補助部材１０が設けられている。そして、スライド部材８の両端に設けた摺動具１１がガイド溝９に摺動自在に嵌合されている。
【００１４】
前記スライド部材８には、図３、図５に示すように、少なくとも目隠し機能と日除け機能を有する遮蔽部材１２を巻いた巻芯１３が回転自在に収容される。該遮蔽部材１２は好ましくは耐水性とする。１２ａは遮蔽部材１２を引き下げるための把手である。本例ではパイプ状の巻芯１３が複数個に分割されて各巻芯１３に巻かれた遮蔽部材１２が独自に引き出される構成としているが、１本の巻芯１３で構成してもよい。該巻芯１３は、巻芯１３を巻取り方向に付勢するばね（図示せず）を有し、かつ遮蔽部材１２は引き出し方向には自由に回転させることができ、引き出し方向にゆっくりと動かして停止すれば、引き上げ方向の動きが停止されるような公知の自動係止機構（図示せず）を有するものである。
【００１５】
図３、図４に示すように、前記取付け枠５には、耐水性の遮蔽部材１４を巻いたパイプ状の巻芯１５が取付けられる。該巻芯１５に巻かれた遮蔽部材１４の先端部材１４ａは、前記スライド部材８の上面の結合部材８ｂに嵌合固定される。該巻芯１５は、その軸１５ａに取付けたウォームホイール１５ｂに噛合するウォーム１５ｃを有し、ハンドル１５ｄによってウォーム１５ｃを回転させることにより、巻芯１５を巻取り繰出し方向に回転させることができる。なおこのような手動式ではなく、電動式も採用できる。
【００１６】
この簡易屋根は、前記巻芯１５の回転によりスライド部材８が前枠７側に移動（前進）したり、逆転により取付け枠５側に移動（後退）させることができるようにした移動装置が設けられている。この移動装置は図６に示す通りである。すなわち前記巻芯１５の両側には巻芯１５と共に回転するボビン１６ａ、１６ｂが固定され、ロープ１７の一端を一方のボビン１６ａに接続して遮蔽部材１４の巻芯１５に対する巻き方向と反対方向に巻き、該ロープ１７を、取付け枠５の片側に設けたシーブ１９ａ、一方の側枠３の前端に取付けたブラケット１８に設けたシーブ２０ａ、前記スライド部材８の一端に設けたシーブ２１ａ、スライド部材８の他端に設けたシーブ２１ｂ、他方の側枠３の他端に設けたシーブ２０ｂ、取付け枠５の他側に設けたシーブ１９ｂに掛け、他側のボビン１６ｂに遮蔽部材１４の反対方向に巻いて接続している。該ロープ１７の中間部には、該ロープ１７を常に張った状態にしておくための引張ばね２２が設けられている。
【００１７】
いま、ハンドル１５ｄを巻芯１５の巻取り方向に回すと、遮蔽部材１４によりスライド部材８が引かれて躯体４側に移動する。このスライド部材８の移動により、ロープ１７が引かれると同時に、ボビン１６ａ、１６ｂからロープ１７が繰り出される。ハンドル１５ｄを遮蔽部材１４の繰り出し方向に回すと、ボビン１６ａ、１６ｂがロープ１７を巻取るので、スライド部材８がロープ１７により引かれて前進すると同時に、巻芯１５から遮蔽部材１４が繰り出される。
【００１８】
この簡易屋根は、環境、季節、気候等に対応して、図１に示すように、スライド部材８を側枠３の途中の位置に止めたり、図２に示すように、スライド部材８を前枠７の位置まで引き出して、さらに必要に応じて巻芯１３に巻かれた遮蔽部材１２を繰り出して目隠しや日除けの役目を果たさせることができる。また、スライド部材８を取付け枠５側に寄せて開放感を味わうことができる。
【００１９】
本発明において、スライド部材８と取付け枠５との間に設ける遮蔽部材１４を設けない構成も採用可能である。すなわち、図７に示すように、スライド部材８を躯体４側に寄せたａの状態で遮蔽部材１２を引き出さない場合には、開放感が得られる。また、遮蔽部材１２を垂直に引き下ろしたｂの状態では目隠しや日除けの機能を発揮し、ｃのように遮蔽部材１２を斜めにした場合にはある程度の目隠しと日除けの機能を発揮し、ｄのように側枠３の高さに遮蔽部材１２を高めれば、日除けの役目を果たし、目隠しの役目はほとんど果たさないが、開放感は得ることができる。
【００２０】
また、スライド部材８をｅに示す中間位置として、遮蔽部材１２をｆまたはｇのように遮蔽部材１２の支柱１側の固定位置を変更すれば、ｆの場合はば目隠しの役目を果たすが、ｇの場合はある程度の開放感を得ることができる。また、スライド部材８をｈに示す前端位置にして、遮蔽部材１２をｉまたはｊのように下げればそれぞれ目隠しの役目を果たすと共に、開放感を増大させることができる。なお、図７に示した遮蔽部材１２の引き下げ姿勢は、スライド部材８に接続される遮蔽部材１４が存在する場合にもとることができることはいうまでもない。
【００２１】
本例においては、図３に示すように、側枠３の前端（枠構成によっては前枠７の両端の場合もある）に雨を流下させるための流下口２３を前記ブラケット１８に設けると共に、スライド部材８の両端には、スライド部材８の上面の樋部８ａに遮蔽部材１４から流下する雨水を流下口２３に導くための排水部材２４（図５参照）を設けている。これにより、スライド部材８の樋部８ａに集まる雨水を排水部材２４を通して流下口２３から集中して流下させることができる。なお、支柱１の上端に前枠７を設けるのではなく、側枠３の前端間に前枠を設けてもよい。いずれの前枠取付け構造であっても、前枠７に雨水の流下口を設けることができる。また、排水部材２４からの雨水を受ける溝２３ａは、側枠３の対向面に全長にわたって設けてもよい。
【００２２】
本発明を実施する場合、図８（Ａ）の断面図に示すように、スライド部材８に設ける結合部材８ｂまたは結合部に対し、遮蔽部材１４の先端部材１４ａを着脱自在に構成すれば、図８（Ｂ）の断面図に示すように、スライド部材８から遮蔽部材１４を分離した状態で使用することが可能となる。この場合、図７で示したように、遮蔽部材１４がないことにより、開放感が増大した使用態様が得られる。なお、本例において、スライド部材８の移動装置として図６のものをそのまま使用するため、前記ボビン１６ａ、１６ｂに前記ロープ１７とは別のロープ２５をロープ１７と逆方向に巻く。勿論、スライド部材８の移動装置としてスプロケット、チェーン式等別の移動装置を用いてもよい。また、スライド部材８に移動の円滑化用ローラを取付けてもよい。また、遮蔽部材１４のスライド部材８に対する着脱は、上記例に限らず、例えばレバー等の係止具による開閉等により行ってもよい。
【００２３】
本発明を実施する場合、側枠３、取付け枠５、前枠７、スライド部材８、遮蔽部材１２、１４、排水部材２４等の具体的形状、構造や組み合わせは、上記例に限られず、種々の変更、付加が可能である。
【００２４】
【発明の効果】
請求項１によれば、躯体に一端が固定される一対の側枠を備え、前記側枠に沿って側枠の躯体取付け部から側枠の屋外側にかけて摺動自在にスライド部材を取付け、前記スライド部材に下方に引き下ろし可能に遮蔽部材を収容し、スライド部材の位置の変更や遮蔽部材の下端の支柱における固定位置を変更可能に構成しているので、遮蔽部材の傾斜角度および長さを種々に変更でき、環境、気候あるいは季節等の変化に応じて遮蔽状態を容易に変更することができる。
【００２５】
請求項２によれば、請求項１の構成に加え、前記側枠の躯体の取付け枠に巻芯を設け、その巻芯に耐水性の遮蔽部材を巻き、その一端をスライド部材に固定する構成を加えたので、請求項１の効果に加え、スライド部材を前枠側に引き出した状態において、該遮蔽部材により雨を避けることができるという効果が得られる。また、このように耐水性の遮蔽部材を引き出した状態であっても、前記スライド部材に収容した遮蔽部材の上げ下げにより、該遮蔽部材を目隠しや日除け等として利用することができ、用途が広がる。
【００２６】
請求項３によれば、請求項１または２において、前記スライド部材の両端に排水部材を設けたので、遮蔽部材からスライド部材に流れる雨水を直接流下口に導くか、側枠の溝迄一旦導いてから、溝に設けられた流下口から流下させることができる。
【００２７】
請求項４によれば、側枠に沿って引き出し可能に設けた耐水性の遮蔽部材を、スライド部材に対して着脱自在としたので、この耐水性の遮蔽部材をスライド部材から分離することにより、開放感が増大した使用態様が得られる。
【図面の簡単な説明】
【図１】本発明による簡易屋根の一実施の形態を示す斜視図である。
【図２】図１の簡易屋根をスライド部材の位置や遮蔽部材の引き出し状態を変えて示す斜視図である。
【図３】図１、図２の簡易屋根の縦断面図である。
【図４】図３のＥ−Ｅ断面図である。
【図５】図３のＦ−Ｆ断面図である。
【図６】本実施の形態におけるスライド部材の移動装置を示す構成図である。
【図７】本実施の形態におけるスライド部材の位置とスライド部材の種々の状態を示す側面図である。
【図８】本発明におけるスライド部材と遮蔽部材との結合構造の一例を示す断面図である。
【符号の説明】
１：床、２：支柱、３：側枠、４：躯体、５：取付け枠、７：前枠、８：スライド部材、９：ガイド溝、１０：補助部材、１１：摺動具、１２：遮蔽部材、１３：巻芯、１４：耐水性の遮蔽部材、１５：巻芯、１６ａ、１６ｂ：ボビン、１７：ロープ、１９ａ、１９ｂ、２０ａ、２０ｂ、２１ａ、２１ｂ：シーブ、２２：引張ばね、２３：流下口、２３ａ：溝、２４：排水部材、２５：ロープ
【図１】
0003787258.tif 000002
【図２】
0003787258.tif 000003
【図３】
0003787258.tif 000004
【図４】
0003787258.tif 000005
【図５】
0003787258.tif 000006
【図６】
0003787258.tif 000007
【図７】
0003787258.tif 000008
【図８】
0003787258.tif 000009